(57)【特許請求の範囲】
【請求項１】
ヘッドボックスから日射遮蔽材を吊下支持し、前記ヘッドボックスの一端にプーリーを回転可能に支持し、前記プーリーに操作コードを掛装し、該操作コードの操作によるプーリーの回転に基づいて前記日射遮蔽材を昇降可能とした日射遮蔽装置の操作装置において、
前記プーリーを前記ヘッドボックスの両端に取着可能としたボックスキャップに回転可能に支持し、前記ボックスキャップの前後には少なくとも２本の前記操作コードを挿通可能とした開口部をそれぞれ設け、前記開口部に挿通された操作コードを前記日射遮蔽材に干渉しない位置に垂下させる持ち出し部材を前記ボックスキャップの前側に設け、
前記ボックスキャップは、前記ヘッドボックスに前記持ち出し部材を取着しないとき、前記操作コードを前記開口部から下方へ垂下可能としたことを特徴とする日射遮蔽装置の遮蔽材操作装置。
【請求項２】
前記ボックスキャップの外形を、前記ヘッドボックスの前後方向に線対称状に設け、前記持ち出し部材は前記ボックスキャップの側縁に当接する状態で、前記ヘッドボックスに取着可能としたことを特徴とする請求項１記載の日射遮蔽装置の遮蔽材操作装置。
【請求項３】
前記持ち出し部材には、前記開口部から導出される２本の操作コードを独立して案内する案内溝を設けたことを特徴とする請求項１又は２記載の日射遮蔽装置の遮蔽材操作装置。
【請求項４】
前記持ち出し部材は、前記ヘッドボックスの前側に該ヘッドボックスと一体に設けられるカーテン生地係止辺の端縁にビス止め可能としたことを特徴とする請求項１乃至３のいずれか１項に記載の日射遮蔽装置の遮蔽材操作装置。
【発明の詳細な説明】
【技術分野】
【０００１】
この発明は、たくし上げカーテン、ロールブラインドあるいはプリーツカーテン等の日射遮蔽装置の遮蔽材を昇降操作する操作装置に関するものである。
【背景技術】
【０００２】
たくし上げカーテン、ロールブラインドあるいはプリーツカーテン等の日射遮蔽装置では、ヘッドボックスからカーテン生地あるいはスクリーン等の日射遮蔽材が吊下支持され、ヘッドボックスの一端から垂下される無端状の操作コード（操作チェーン）を操作することにより、日射遮蔽材を昇降可能としたものがある。
【０００３】
このような日射遮蔽装置では、遮蔽材の端縁近傍に操作コードが垂下されるため、操作コードの操作時に、遮蔽材の端縁と操作コードとが干渉することがある。そして、遮蔽材の端縁に操作コードが繰り返し接触することにより、遮蔽材の端縁が損傷されることがある。特に、遮蔽材が柔らかい布等で形成されている場合には、端縁にほつれ等が生じやすい。
【０００４】
特許文献１には、遮蔽材の垂下位置に対し操作コードの垂下位置をオフセットさせる構成が開示されている。
【特許文献１】特許第２９９４５５２号公報
【発明の開示】
【発明が解決しようとする課題】
【０００５】
特許文献１に開示される構成では、遮蔽材の垂下位置に対し操作コードの垂下位置をオフセットすることができるので、遮蔽材の端縁の損傷を防止することができる。また、操作コードの引き出し方向をヘッドボックスの前後方向に変更可能であるので、操作コードをヘッドボックスの右端から垂下する右操作用あるいは操作コードをヘッドボックスの左端から垂下する左操作用のいずれにも対応可能である。
【０００６】
しかし、特許文献１に開示される構成では、操作コードが掛装されるプーリーのケースに対し、操作コードの案内部材を回動させることにより、同操作コードの引き出し方向を変更する構成である。従って、ケースに対し案内部材を回動可能とするために、操作装置がヘッドボックスの前後方向に大型化するという問題点がある。
【０００７】
この発明の目的は、遮蔽材と操作コードとの干渉を未然に防止しながら、右操作用あるいは左操作用に変更可能とし、かつ小型化を図り得る日射遮蔽装置の遮蔽材操作装置を提供することにある。
【課題を解決するための手段】
【０００８】
請求項１では、ヘッドボックスから日射遮蔽材を吊下支持し、前記ヘッドボックスの一端にプーリーを回転可能に支持し、前記プーリーに操作コードを掛装し、該操作コードの操作によるプーリーの回転に基づいて前記日射遮蔽材を昇降可能とした日射遮蔽装置の操作装置において、前記プーリーを前記ヘッドボックスの両端に取着可能としたボックスキャップに回転可能に支持し、前記ボックスキャップの前後には少なくとも２本の前記操作コードを挿通可能とした開口部をそれぞれ設け、前記開口部に挿通された操作コードを前記日射遮蔽材に干渉しない位置に垂下させる持ち出し部材を前記ボックスキャップの前側に設け、前記ボックスキャップは、前記ヘッドボックスに前記持ち出し部材を取着しないとき、前記操作コードを前記開口部から下方へ垂下可能とした。
【０００９】
請求項２では、前記ボックスキャップの外形を、前記ヘッドボックスの前後方向に線対称状に設け、前記持ち出し部材は前記ボックスキャップの側縁に当接する状態で、前記ヘッドボックスに取着可能とした。
【００１０】
請求項３では、前記持ち出し部材には、前記開口部から導出される２本の操作コードを独立して案内する案内溝を設けた。
請求項４では、前記持ち出し部材は、前記ヘッドボックスの前側に該ヘッドボックスと一体に設けられるカーテン生地係止辺の端縁にビス止め可能とした。
【発明の効果】
【００１２】
本発明によれば、遮蔽材と操作コードとの干渉を未然に防止しながら、右操作用あるいは左操作用に変更可能とし、かつ小型化を図り得る日射遮蔽装置の遮蔽材操作装置を提供することができる。
【発明を実施するための最良の形態】
【００１３】
以下、この発明を具体化した一実施の形態を図面に従って説明する。図１に示すたくし上げカーテンは、ヘッドボックス１の前面から経木すだれで構成されるカーテン生地２が垂下される。前記ヘッドボックス１は、取付けブラケット１ａにより窓枠等の取付面に固定される。
【００１４】
前記ヘッドボックス１の一端には操作装置３が設けられ、その操作装置３の操作により前記カーテン生地２が昇降される。すなわち、操作装置３から垂下される操作チェーン（操作コード）４を操作するとプーリー５が回転され、そのプーリー５の回転に基づいて、前記ヘッドボックス１内で回転可能に支持される駆動軸６が回転される。
【００１５】
前記ヘッドボックス１内において、同ヘッドボックス１の両端部及び中央部には、支持部材７が配設され、各支持部材７に巻取軸８が回転可能に支持されている。そして、巻取軸８に前記駆動軸６が嵌挿され、駆動軸６の回転に伴って巻取軸８が回転されるようになっている。
【００１６】
前記巻取軸８にはそれぞれ昇降コード９の上端部が取着され、その昇降コード９はヘッドボックス１下方へ垂下されている。各昇降コード９の下端にはフック１０がそれぞれ取着され、そのフック１０には前記カーテン生地２の下端に取着されている吊下げ環１１が掛装されている。
【００１７】
なお、前記プーリー５と駆動軸６との間には、公知のクラッチ装置１２が介在され、操作チェーン４の操作時以外のカーテン生地２の自重降下を防止するようになっている。
このような構成により、操作チェーン４の操作に基づいて駆動軸６が回転されて、巻取軸８が昇降コード９の巻き取り方向に回転されると、昇降コード９が巻取軸８に巻き取られ、フック１０を介してカーテン生地２がその下端部から順次引き上げられる。
【００１８】
また、巻取軸８が昇降コード９の巻き戻し方向に回転されると、昇降コード９が巻取軸８から巻き戻される。すると、カーテン生地２の下端部が下降することにより、カーテン生地２が下方に向かって延長される。
【００１９】
次に、図１に示す右操作用の操作装置３について、その具体的構成を説明する。図２及び図３に示すように、ヘッドボックス１の右端にはボックスキャップ１３と持ち出し部材１４とが取着される。
【００２０】
前記ボックスキャップ１３は、その外形が線対称状をなすホームベース形に形成され、前記ヘッドボックス１の端部に嵌着される。ヘッドボックス１は押出し形材であるので、同ヘッドボックス１の左端にもボックスキャップ１３を同様に嵌着可能である。
【００２１】
前記ボックスキャップ１３には前記プーリー５が回転可能に支持され、そのプーリー５に前記操作チェーン４が掛装されている。前記プーリー５の回転は、前記クラッチ装置１２を介して前記駆動軸６に伝達される。
【００２２】
前記ボックスキャップ１３の下端には、操作チェーン４の案内軸１５が形成され、その案内軸１５の両側には、操作チェーン４をボックスキャップ１３外へ案内するための開口部１６ａ，１６ｂが形成されている。前記開口部は、操作チェーン４を１本ずつ、あるいは２本まとめてボックスキャップ１３外へ案内可能とする幅が確保されている。
【００２３】
そして、ボックスキャップ１３にはプーリー５及び操作チェーン４が収容された状態で、カバー１７が取着される。すなわち、図５及び図６に示すように、前記カバー１７の上縁には、ボックスキャップ１３の上縁に係合する係止片１８が設けられ、カバー１７の下端部には前記案内軸１５に嵌合する取付軸１９が形成される。そして、係止片１８をボックスキャップ１３の上縁に係合させ、取付軸１９を案内軸１５に嵌合し、その取付軸１９をビス２０でボックスキャップ１３に固定することにより、カバー１７がボックスキャップ１３に取着される。
【００２４】
図４及び図５に示すように、前記持ち出し部材１４は、その一側縁が前記ボックスキャップ１３の前側縁に密着するようにく字状に屈曲されている。そして、その一側縁をボックスキャップ１３の前側縁に当接させた状態で、前記ヘッドボックス１の前側に一体に設けられるカーテン生地係止辺２１にビス２２で固定される。
【００２５】
前記持ち出し部材１４内には、前記操作チェーン４を案内するための２条の案内溝２３ａ，２３ｂが形成される。プーリー５に掛装されている操作チェーン４は、ボックスキャップ１３の一方の開口部１６ａから持ち出し部材１４の案内溝２３ａ，２３ｂを経て、下方へ垂下される。そして、持ち出し部材１４にカバー２４がビス２５で固定される。
【００２６】
このような構成により、図２、図３及び図７に示す右操作用の操作装置３が構成され、ボックスキャップ１３の前側縁に沿って取着される持ち出し部材１４により、操作チェーン４がカーテン生地２より前方、すなわち室内側にオフセットされた状態で垂下される。
【００２７】
図８及び図９は、前記ボックスキャップ１３及び持ち出し部材２６を使用して、左操作用の操作装置を構成する場合を示す。持ち出し部材２６は前記持ち出し部材１４に対し対称上に形成されたものである。
【００２８】
すなわち、ヘッドボックス１の左端に前記クラッチ装置１２及びボックスキャップ１３を取着し、そのボックスキャップ１３の前側縁に沿うように持ち出し部材２６を取着する。そして、プーリー５からボックスキャップ１３の開口部１６ｂを経て、持ち出し部材１４から操作チェーン４を垂下する。
【００２９】
このような構成により右操作用の操作装置３が構成され、ボックスキャップ１３の前側縁に沿って取着される持ち出し部材２６により、操作チェーン４がカーテン生地２より前方、すなわち室内側にオフセットされた状態で垂下される。
【００３０】
図１０は、持ち出し部材１４を使用しない場合を示す。この場合には、操作チェーン４がプーリー５からボックスキャップ１３の開口部１６ａ，１６ｂを経て、下方へ垂下される。なお、この場合には、カーテン生地係止辺２１の端部にカバー２７が取着される。
【００３１】
上記のように構成されたたくし上げカーテンでは、次に示す作用効果を得ることができる。
（１）操作チェーン４は、ボックスキャップ１３から持ち出し部材１４を経て垂下されるので、カーテン生地２より室内側へオフセットした状態で垂下される。従って、操作チェーン４の操作時に、カーテン生地２の端縁と操作チェーン４との干渉を防止することができる。
（２）ボックスキャップ１３は、右操作用及び左操作用の操作装置３に共通して使用することができる。
（３）ボックスキャップ１３の前側縁に当接する持ち出し部材１４をヘッドボックス１に取着することにより、右操作用あるいは左操作用の操作装置３を構成することができる。従って、ボックスキャップ１３の後方には持ち出し部材１４が存在しないので、操作装置３の前後方向の寸法を小さくすることができる。
（４）操作チェーン４がカーテン生地２と干渉しても支障がない場合には、ボックスキャップ１３に持ち出し部材１４を取着することなく、ボックスキャップ１３から操作チェーン４を垂下させることができる。この状態では、操作装置３をさらに小型化することができる。
（５）持ち出し部材１４には、２本の操作チェーン４をそれぞれ独立して案内する案内溝２３ａ，２３ｂを設けたので、持ち出し部材１４内において移動方向の異なる２本の操作チェーン４を互いに干渉することなく案内することができる。
（６）ボックスキャップ１３には、少なくとも２本の操作チェーン４を挿通可能とした開口部１６ａ，１６ｂを設けた。従って、２本の操作チェーン４を開口部１６ａから持ち出し部材１４に案内する状態と、開口部１６ｂから持ち出し部材１４に案内する状態と、開口部１６ａ，１６ｂから１本ずつの操作チェーン４を案内する状態とを任意に選択することができる。
【００３２】
上記実施の形態は、以下の態様で実施してもよい。
・ロールブラインドあるいはプリーツカーテンの操作装置として使用することもできる。
【図面の簡単な説明】
【００３３】
【図１】一実施の形態のたくし上げカーテンを示す正面図である。
【図２】たくし上げカーテンの右側面図である。
【図３】操作装置を示す側面図である。
【図４】操作装置を示す分解斜視図である。
【図５】操作装置を示す分解斜視図である。
【図６】操作装置を示す分解斜視図である。
【図７】操作装置を示す斜視図である。
【図８】左操作用のたくし上げカーテンを示す左側面図である。
【図９】左操作用の操作装置を示す側面図である。
【図１０】持ち出し部材を使用しないたくし上げカーテンを示す側面図である。
【符号の説明】
【００３４】
１          ヘッドボックス
２          日射遮蔽材（カーテン生地）
３          操作装置
４          操作コード（操作チェーン）
５          プーリー
１３        ボックスキャップ
１４，２６        持ち出し部材
１６ａ，１６ｂ    開口部
２０，２２，２５        ビス
２３ａ，２３ｂ        案内溝
【図１】
0004729271.tif 000002
【図２】
0004729271.tif 000003
【図３】
0004729271.tif 000004
【図４】
0004729271.tif 000005
【図５】
0004729271.tif 000006
【図６】
0004729271.tif 000007
【図７】
0004729271.tif 000008
【図８】
0004729271.tif 000009
【図９】
0004729271.tif 000010
【図１０】
0004729271.tif 000011